(57)【要約】【解決手段】光ファイバケーブル及び光ファイバコネクタを接続する取付組立体を開示する。取付組立体は、光ファイバケーブルを固定するよう構成された固定部材と、案内部材と、接続部材とを具備する。固定部材は、光ファイバケーブルの裸ファイバを光ファイバコネクタ内に案内し、裸ファイバが光ファイバコネクタ内の直列光ファイバと有効接触するように、案内部材内に移動可能に設けられる。接続部材は、案内部材及び固定部材に嵌まり、光ファイバケーブルの裸ファイバ及び光ファイバコネクタ内の直列光ファイバを接続する。上述の解決手段は、現場で簡単に光ファイバの接続作業ができる簡単な取付組立体を与える。この解決手段は、様々なタイプの光ファイバに適用できる。本発明は、光ファイバの整合方法も提供する。
2012525602.tif 000002
【特許請求の範囲】
【請求項１】
光ファイバケーブル（１０）及び光ファイバコネクタ（２０）を接続する取付組立体であって、
前記光ファイバケーブルを固定するよう構成された固定部材（３０）と、案内部材（４０）と、接合部材（６０）とを具備し、
前記固定部材は、前記光ファイバケーブルの裸ファイバ（１０ａ）を前記光ファイバコネクタ内に案内し、前記裸ファイバが前記光ファイバコネクタ内の直列光ファイバと有効接触するように、前記案内部材内に移動可能に設けられ、
前記接合部材は、前記案内部材及び前記固定部材に嵌まり、前記光ファイバケーブルの前記裸ファイバ及び前記光ファイバコネクタ内の前記直列光ファイバを接合することを特徴とする取付組立体。
【請求項２】
前記取付組立体は、前記固定部材及び前記案内部材間に設けられた微調整構造（５０）をさらに具備し、
前記微調整構造は、前記案内部材に対して前記固定部材の変位を調整することにより、前記光ファイバコネクタ内での前記光ファイバケーブルの前記裸ファイバの導入量を調整することを特徴とする請求項１記載の取付組立体。
【請求項３】
前記微調整構造は、前記固定部材に形成された第１案内歯（５１）と、前記案内部材に形成された第２案内歯（５２）とを具備し、
前記第１案内歯及び前記第２案内歯の係合によって前記案内部材内での前記固定部材の変位及び配置が達成されることにより、前記光ファイバコネクタ内での前記光ファイバケーブルの前記裸ファイバの導入量が制御されることを特徴とする請求項２記載の取付組立体。
【請求項４】
前記第１案内歯及び前記第２案内歯の歯ピッチは、前記光ファイバケーブルの前記裸ファイバの最大可撓半径に基づいて決定されることを特徴とする請求項３記載の取付組立体。
【請求項５】
前記光ファイバコネクタは光ファイバ固定デバイス（２２）を具備し、
前記接合部材は、前記光ファイバ固定デバイス上に作用すると共に、前記裸ファイバ及び前記直列光ファイバが接合されるように、前記光ファイバ固定デバイスにより前記光ファイバコネクタ内に前記裸ファイバを固定することを特徴とする請求項１記載の取付組立体。
【請求項６】
前記接合部材は、前記光ファイバコネクタ及び前記案内部材を配置するためのハウジング（６１）と、該ハウジング上に設けられると共に該ハウジングに対して移動可能なハンドル（６２）とを具備することを特徴とする請求項５記載の取付組立体。
【請求項７】
前記ハンドルは、ねじ回すことで前記ハウジング上に設けられることを特徴とする請求項６記載の取付組立体。
【請求項８】
前記裸ファイバは、前記ハンドルの前端が前記光ファイバ固定デバイスを押圧する態様で前記ハンドルの前端により前記光ファイバコネクタ内に固定されることを特徴とする請求項７記載の取付組立体。
【請求項９】
前記光ファイバ固定デバイスは固形接着剤製であることを特徴とする請求項８記載の取付組立体。
【請求項１０】
前記固定部材は、前記光ファイバケーブルを受容するよう構成された受容室（３１）と、該受容室内に形成されると共に前記光ファイバケーブルを固定するよう構成された固定歯（３２）とを具備することを特徴とする請求項１記載の取付組立体。
【請求項１１】
前記案内部材は、外部から前記案内部材を覆うと共に、該案内部材内での前記固定部材の配置を強化するカバー（４５）をさらに具備し、
前記カバーは、前記固定部材と、内部に前記光ファイバケーブルが固定された前記案内部材とを接続し、コネクタ全体を形成することを特徴とする請求項１記載の取付組立体。
【請求項１２】
前記固定部材及び前記光ファイバコネクタは、取付時に、前記案内部材の両端にそれぞれ配置されることを特徴とする請求項１記載の取付組立体。
【請求項１３】
前記固定部材は前記案内部材に取外し可能に接続されることを特徴とする請求項１記載の取付組立体。
【請求項１４】
前記光ファイバコネクタは圧入で前記案内部材に接続することを特徴とする請求項１記載の取付組立体。
【請求項１５】
前記接合部材は、前記光ファイバケーブル及び前記光ファイバコネクタの１回以上の接合の後に廃棄することができる使い捨て型光ファイバ接合工具であることを特徴とする請求項１記載の取付組立体。
【請求項１６】
前記固定部材、前記案内部材及び前記接合部材はプラスチック材料製であることを特徴とする請求項１記載の取付組立体。
【請求項１７】
固定部材を用意し、該固定部材内に光ファイバケーブルを固定する工程と、
案内部材を用意し、光ファイバコネクタと内部に前記光ファイバケーブルが固定された固定部材とを前記案内部材の両端にそれぞれ接続する工程と、
前記案内部材に沿って前記固定部材を押圧し、前記光ファイバケーブルの裸ファイバが前記光ファイバコネクタの直列光ファイバと有効接触するように前記光ファイバケーブルが若干曲がるまで前記光ファイバケーブルの前記裸ファイバを前記光ファイバコネクタ内に載置する工程と、
前記光ファイバコネクタ内で光ファイバ固定デバイスを押圧し、前記光ファイバケーブルの前記裸ファイバ及び前記光ファイバコネクタ内の前記直列光ファイバが有効に接合するように、前記光ファイバコネクタ内に前記裸ファイバを固定するよう接合部材を用意する工程と
を具備する光ファイバの接合方法。
【請求項１８】
前記光ファイバコネクタ内の前記光ファイバケーブルの前記裸ファイバの導入量は、微調整構造を用いて、前記案内部材に対する前記固定部材の変位を調整することにより調整されることを特徴とする請求項１７記載の光ファイバの接合方法。
【請求項１９】
前記裸ファイバは、取付時に前記直列光ファイバと整列した状態にあることを特徴とする請求項１７記載の光ファイバの接合方法。
【請求項２０】
前記光ファイバコネクタは、圧入で前記案内部材に接続されることを特徴とする請求項１７記載の光ファイバの接合方法。
【請求項２１】
前記接合部材は、ねじ回すことで操作することを特徴とする請求項１７記載の光ファイバの接合方法。
【請求項２２】
前記裸ファイバ及び前記直列光ファイバの接続後、前記案内部材を外部から覆い、前記案内部材内での前記固定部材の配置を強化するよう、カバーが設けられ、
前記カバーは、前記固定部材と、内部に前記光ファイバケーブルが固定された前記案内部材とを接続し、コネクタ全体を形成することを特徴とする請求項１７記載の光ファイバの接合方法。
【発明の詳細な説明】
【技術分野】
【０００１】
本発明は、光ファイバ配線の分野に関し、特に現場で簡単に光ファイバの接合（splicing）作業ができる簡単な取付工具、及びこの取付工具を用いた光ファイバ接合方法に関する。
【背景技術】
【０００２】
一般に、光ファイバを現場で接合するために、現場取付可能なコネクタが使用される。目下のところ、市場で入手可能な現場取付可能なコネクタは、光ファイバを現場で接合する間、ライトクリンププラスＳＣシンプレクスコネクタキット等の特殊取付工具と共に使用しなければならない。具体的には、光ファイバの現場接合及びコネクタの現場作製の工程において、このような取付工具は、対象物のコネクタの固定、光ファイバケーブルの配置、光ファイバの接合等の一連の作業を要する。
【発明の概要】
【発明が解決しようとする課題】
【０００３】
従って、光ファイバを現場で接合及びコネクタを現場で作製するために、作業者は、極めて不便な取付工具を持ち運ばなくてはならない。
【０００４】
さらに、取付工具の特殊性のため、その操作は比較的複雑である。しかし、取付工具は現在の光ファイバ現場配線には使用しなければならないものである。このため、比較的高い取付コストという結果にもなる。
【０００５】
同時に、８形状の光ファイバケーブル（８の字光ファイバケーブル）の応用は、現在の光ファイバ現場、特に家庭又は事務所用の光ネットワークユニットの取付、すなわち各家庭までの光ファイバ化（ＦＴＴＨ）においてより普及しつつある。しかしこのような現在の取付工具は円形の光ファイバケーブルの接合に適用するよう限定されているので、８形状の光ファイバケーブルの接合には適していない。
【０００６】
上述の技術的問題に鑑み、本発明は、従来技術の上述の問題及び欠点の少なくとも一側面を解決することを目的とする。
【０００７】
本発明は、現場で簡単に光ファイバを接合することができる簡単な取付組立体を提供することにより、光ファイバの工具無し現場接合を達成することを少なくとも一つの目的とする。
【０００８】
本発明は、様々なタイプの光ファイバに応用可能な簡単な取付組立体を提供することを別の目的とする。
【課題を解決するための手段】
【０００９】
本発明の少なくとも一つの解決手段は、以下の通りである。すなわち、光ファイバケーブル及び光ファイバコネクタを接続する取付組立体であって、光ファイバケーブルを固定するよう構成された固定部材と、案内部材と、接合（splicing）部材とを具備する。固定部材は、光ファイバケーブルの裸ファイバを光ファイバコネクタ内に案内し、裸ファイバが光ファイバコネクタ内の直列（inline）光ファイバと有効接触するように、案内部材内に移動可能に設けられる。接合部材は、案内部材及び固定部材に嵌まり、光ファイバケーブルの裸ファイバ及び光ファイバコネクタ内の直列光ファイバを接合する。
【００１０】
その上、取付組立体は、固定部材及び案内部材間に設けられた微調整構造をさらに具備する。微調整構造は、案内部材に対して固定部材の変位を調整することにより、光ファイバコネクタ内での光ファイバケーブルの裸ファイバの導入量を調整する。
【００１１】
具体的には、微調整構造は、固定部材に形成された第１案内歯と、案内部材に形成された第２案内歯とを具備する。第１案内歯及び第２案内歯の係合により、案内部材内での固定部材の変位及び配置が達成されるので、光ファイバコネクタ内での光ファイバケーブルの裸ファイバの導入量が制御される。光ファイバケーブルの裸ファイバの最大可撓半径に基づき、第１案内歯及び第２案内歯の歯ピッチが決定される。
【００１２】
さらに、光ファイバコネクタは光ファイバ固定デバイスを具備し、接合部材は、光ファイバ固定デバイス上に作用すると共に、裸ファイバ及び直列光ファイバが接合されるように、光ファイバ固定デバイスにより光ファイバコネクタ内に裸ファイバを固定する。
【００１３】
具体的な一実施形態によれば、接合部材は、光ファイバコネクタ及び案内部材を配置するためのハウジングと、ハウジング上に設けられると共にハウジングに対して移動可能なハンドルとを具備する。ハンドルは、ねじ回すことでハウジング上に設けられる。裸ファイバは、ハンドルの前端が光ファイバ固定デバイスを押圧する態様でハンドルの前端により光ファイバコネクタ内に固定される。好適には、光ファイバ固定デバイスは固形接着剤製である。
【００１４】
具体的な一実施形態によれば、固定部材は、光ファイバケーブルを受容するよう構成された受容室と、受容室内に形成されると共に光ファイバケーブルを固定するよう構成された固定歯とを具備する。
【００１５】
具体的な一実施形態によれば、案内部材は、外部から案内部材を覆い、案内部材内での固定部材の配置を強化するカバーをさらに具備する。その一方、カバーは、固定部材と、内部に光ファイバケーブルが固定された案内部材とを接続し、コネクタ全体を形成する。
【００１６】
本発明の具体的な一実施形態によれば、固定部材及び光ファイバコネクタは、取付時に、案内部材の両端にそれぞれ配置される。固定部材は案内部材に取外し可能に接続されてもよいのに対し、光ファイバコネクタは圧入で案内部材に接続してもよい。接合部材は、光ファイバケーブル及び光ファイバコネクタの１回以上の接合の後に廃棄することができる使い捨て型光ファイバ接合工具であってもよい。
【００１７】
好適には、固定部材、案内部材及び接合部材はプラスチック材料製である。
【００１８】
本発明はまた、上述の取付組立体を使用することにより、光ファイバの接合方法を提供する。具体的には、光ファイバの接合方法は、固定部材を用意し、固定部材内に光ファイバケーブルを固定する工程と、案内部材を用意し、光ファイバコネクタと内部に光ファイバケーブルが固定された固定部材とを案内部材の両端にそれぞれ接続する工程と、案内部材に沿って固定部材を押圧し、光ファイバケーブルの裸ファイバが光ファイバコネクタの直列光ファイバと有効接触するように光ファイバケーブルが若干曲がるまで光ファイバケーブルの裸ファイバを光ファイバコネクタ内に載置する工程と、光ファイバコネクタ内で光ファイバ固定デバイスを押圧し、光ファイバケーブルの裸ファイバ及び光ファイバコネクタ内の直列光ファイバが有効に接合するように、光ファイバコネクタ内に裸ファイバを固定するよう接合部材を用意する工程とを具備する。
【００１９】
本発明の具体的な一実施形態によれば、上述の方法において、光ファイバコネクタ内の光ファイバケーブルの裸ファイバの導入量は、微調整構造を用いて、案内部材に対する固定部材の変位を調整することにより調整される。裸ファイバは、取付時に直列光ファイバと整列した状態にあってもよい。そして、光ファイバコネクタは、圧入で案内部材に接続されてもよい。さらに、接合部材は、ねじ回すことで操作してもよい。
【００２０】
本発明の具体的な一実施形態によれば、裸ファイバ及び直列光ファイバの接続後、案内部材を外部から覆い、案内部材内での固定部材の配置を強化するよう、カバーが設けられる。カバーは、固定部材と、内部に光ファイバケーブルが固定された案内部材とを接続し、コネクタ全体を形成する。
【００２１】
本発明は、現場で簡単に光ファイバを接合することができる簡単な取付組立体を提供する。また、上述の解決手段は、様々なタイプの光ファイバに応用可能である。さらに、本発明は、上述した取付組立体を使用することにより、光ファイバの接合方法を提供する。
【００２２】
本発明のこれら又は他の側面は、添付図面と併せて以下の実施形態の詳細な説明から明白であり、より容易に理解されよう。
【図面の簡単な説明】
【００２３】
【図１】本発明の典型的な一実施形態に従った取付組立体を示し、取付組立体を用いて光ファイバが接合される状態を概略的に示す図である。
【図２】取付組立体の様々な部品の内部構造を概略的に示し、光ファイバが予備的に接合された状態を示す図である。
【図３】本発明の典型的な一実施形態に従った取付組立体の案内部材及び光ファイバコネクタを示し、案内部材が光ファイバコネクタに接続した状態を示す概略構造図である。
【図４】本発明の典型的な一実施形態に従った取付組立体の固定部材を示し、光ファイバケーブルが固定部材内に固定された状態を示す概略構造図である。
【図５】本発明の典型的な一実施形態に従った取付組立体の固定部材を示し、光ファイバケーブルが固定部材内に固定された別の状態を示す概略構造図である。
【図６】本発明の取付組立体を使用することにより、本発明の典型的な実施形態で光ファイバの接合が完了した後の状態を示し、取付組立体内の接合部材が除去されるのに対し、取付組立体内の固定部材及び案内部材が光ファイバコネクタを突き当て接合するための新たなコネクタの構成部分となる状態を示す図である。
【図７】本発明の取付組立体を使用することにより、本発明の典型的な別の一実施形態で光ファイバの接合が完了した後の別の状態を示し、取付組立体内の接合部材が除去されるのに対し、取付組立体内の固定部材及び案内部材がカバーで覆われる結果、光ファイバコネクタを突き当て接合するためのコネクタ全体が形成される状態を示す図である。
【発明を実施するための形態】
【００２４】
以下、本開示の典型的な実施形態を、添付図面を参照して詳細に説明する。しかし、本開示は、異なる多くの形態で具現化できるので、本明細書に説明された実施形態に限定するものとして解釈してはならない。むしろ、これらの実施形態は、本開示が完全且つ徹底的であり、本開示のコンセプトを当業者に十分に伝えるように提供されるものである。
【００２５】
本発明の範囲は、図面の単なる概略図、構成部材の数、その材料、その形状、その相対配置等に限定するものでは全くなく、単に一実施形態の一例を示すものである。
【００２６】
図１を参照すると、本発明は、光ファイバケーブル１０を光ファイバコネクタ２０に接続するための簡単な取付組立体を提供するものである。図１は、本発明の典型的な一実施形態に係る取付組立体を示す。本発明によれば、取付組立体は主に、固定部材３０、案内部材４０及び接合（splicing）部材６０を具備する。さらに、図１は、本発明の取付組立体の取付対象物である光ファイバケーブル１０及び光ファイバコネクタ２０を示す。
【００２７】
本発明において、取付対象物としての光ファイバケーブル１０は、様々なタイプの光ファイバケーブルであってもよく、円形光ケーブルと、より広い用途で使用される８形状光ファイバケーブルとを具備するが、これらに限定されない。
【００２８】
図２に示されるように、具体的には、本実施形態に係る光ファイバケーブル１０は、裸ファイバ１０ａ、この裸ファイバ１０ａを取り囲むクラッド層、及び最も外側の外部コーティング層を具備するが、これらに限定されない。光ファイバコネクタ２０は、光ファイバ配線で使用され、特に家庭又は事務所用の光ネットワークユニットの取付、すなわち各家庭までの光ファイバ化（ＦＴＴＨ）で使用される任意のタイプの光ファイバコネクタであってもよい。本実施形態において、図２に示されるように、光ファイバコネクタ２０は実質的に、コネクタハウジング、コネクタハウジング内に埋設された直列（inline）光ファイバ(内蔵光ファイバ）２１、及び直列光ファイバ２１を固定するための光ファイバ固定デバイス２２を具備する。
【００２９】
本発明によれば、図１及び図２に示されるように、光ファイバケーブル１０及び光ファイバコネクタ２０を接続するための取付組立体は、光ファイバケーブル１０を固定するよう構成された固定部材３０と、案内部材４０と、接合（splicing）部材６０とを具備する。固定部材３０は、光ファイバケーブル１０の裸ファイバ１０ａを光ファイバコネクタ２０内に案内し、裸ファイバ１０ａが光ファイバコネクタ２０内の直列光ファイバ２１と有効接触するように、案内部材４０内に移動可能に設けられる。接合部材６０は、案内部材４０及び固定部材３０に嵌まり、光ファイバケーブル１０の裸ファイバ１０ａ及び光ファイバコネクタ２０内の直列光ファイバ２１を接合する。
【００３０】
本発明に係る取付組立体の接合部材は、簡単且つ実用的である使い捨て型機械部品の形態であるので、工具無しで光ファイバの現場接合が達成されることに留意されたい。好適には、固定部材３０、案内部材４０及び接合部材６０はプラスチック材料製である。
【００３１】
本発明の典型的な実施形態によれば、図４及び図５に示されるように、固定部材３０は、光ファイバケーブル１０を受容するよう構成された受容室３１と、受容室３１内に形成されると共に光ファイバケーブル１０を固定するよう構成された固定歯３２とを具備する。具体的には、光ファイバケーブル１０が受容室３１内に配置される際、固定部材３０の固定歯３２は、光ファイバケーブル１０を固定するように光ファイバケーブル１０の外側コーティング層に食い込む。本実施形態において、固定部材３０の固定歯３２は、受容室３１に固定された光ファイバケーブル１０に作用する少なくとも30Ｎの軸方向に沿った食い込み力を与えることができるので、優れた固定効果が得られることに留意されたい。しかし、別の実施形態において、固定部材３０は、光ファイバケーブル１０を効果的に固定することができる他の構造を有してもよい。
【００３２】
本発明に基づいて、図６に示されるように、取付組立体は、固定部材３０及び案内部材４０間に設けられた微調整構造５０をさらに具備する。この微調整部材５０は、案内部材４０に対して固定部材３０の変位を調整することにより、光ファイバコネクタ２０内で光ファイバケーブル１０の裸ファイバ１０ａの導入量を調整する。典型的な実施形態によれば、図１ないし図６に示されるように、微調整構造５０は、固定部材３０に形成された第１案内歯５１と、案内部材４０に形成された第２案内歯５２とを具備する。第１案内歯５１及び第２案内歯５２の係合により、案内部材４０内での固定部材３０の変位及び配置が達成されるので、光ファイバコネクタ２０内での光ファイバケーブル１０の裸ファイバ１０ａの導入量が制御される。具体的には、光ファイバケーブル１０の裸ファイバ１０ａの最大可撓半径に基づき、第１案内歯５１及び第２案内歯５２の歯ピッチが決定される。しかし、別の実施形態において、本発明の微調整構造５０は、案内部材４０に対して光ファイバケーブルを内部に有する固定部材３０の任意位置を達成することができる他の構造又は他の形態であってもよい。
【００３３】
本発明によれば、図１及び図２に示されるように、接合部材６０は、光ファイバコネクタ２０及び案内部材４０を配置するためのハウジング６１と、ハウジング６１上に設けられると共にハウジング６１に対して移動可能なハンドル６２とを具備する。ハンドル６２は、ねじ止めでハウジング６１上に設けられる。図１に示されるように、ハウジング６１の内面には複数のリブ６３が設けられている。これらのリブ６３は、光ファイバコネクタ２０が取外し可能にハウジング６１内に挿入される際に光ファイバコネクタ２０を配置するように、光ファイバコネクタ２０の外側ハウジングと係合するよう構成されている。図１に示されるように、案内部材４０を配置するためのリブ６４も、ハウジング６１の内部に設けられている。光ファイバコネクタ２０及び案内部材４０を配置する任意の別の構造を、ハウジング６１の内部に配置できることに留意されたい。
【００３４】
図２に示されるように、ハンドル６２の前端には円形壁６５が形成されている。光ファイバコネクタ２０は、直列光ファイバ２１を内部に受容するための案内部２３と、圧力伝達部２４とを有する。案内部２３は、円形壁６５により形成される中空空間に嵌まるよう構成される。円形壁６５は、圧力伝達部２４と接触状態になり、ハンドル６２をねじ回しすることにより圧力伝達部２４に圧力を加える。
【００３５】
本発明によれば、接合部材６０は、光ファイバケーブル１０及び光ファイバコネクタ２０の１回以上の接続の後に廃棄することができる使い捨て型光ファイバ接合工具であってもよい。換言すると、本発明に係る取付組立体において、接合部材６０は使い捨ての機械部品である。
【００３６】
本発明において、接続対象物として機能する光ファイバコネクタ２０は、その内部に光ファイバ固定デバイス２２を具備する。接合部材６０は、光ファイバ固定デバイス２２に作用すると共に、裸ファイバ１０ａ及び直列光ファイバ２１が接続されるように光ファイバ固定デバイス２２により光ファイバコネクタ２０内に裸ファイバ１０ａを固定する。
【００３７】
裸ファイバ１０ａは、ハンドル６０の前端が光ファイバ固定デバイス２２を押圧する態様で、ハンドル６０の前端により光ファイバコネクタ２０内に固定されてもよい。本発明の本実施形態によれば、光ファイバ固定デバイス２２は、好適には押圧後に自身により固化できるように固形接着剤製である。具体的には、本実施形態において、図２に示されるように、ハンドル６２の前端、すなわち円形壁６５の前端は、光ファイバコネクタ２０の圧力伝達部２４に接触状態にあり、ハンドル６２をねじ回すことにより圧力伝達部２４に圧力を加え、次にこの圧力が圧力伝達部２４から固形接着剤２２に伝達される。こうして、固形接着剤２２はハンドル６２の前端により押圧された後変形するので、裸ファイバ１０ａが直列光ファイバ２１と接触状態にある位置で固形接着剤２２が固化する。このため、裸ファイバ１０ａ及び直列光ファイバ２１は効果的に固定される。このようにして、光ファイバケーブル１０の裸ファイバ１０ａ及び光ファイバコネクタ２０内の直列光ファイバ２１の安定した接合が確保される。
【００３８】
さらに、本発明の取付組立体において、案内部材４０は、図６及び図７に示されるカバー４５をさらに具備する。このカバー４５は、外部から案内部材４０を覆い、案内部材４０内での固定部材３０の配置を強化する。カバー４５は、固定部材３０と、内部に固定された光ファイバケーブル１０を有する案内部材４０とを接続し、コネクタ全体を形成する。このため、光ファイバケーブル１０及び光ファイバコネクタ２０は効果的に接合される。本発明の典型的な一実施形態によれば、取付時に、固定部材３０及び光ファイバコネクタ２０は、案内部材４０の両端にそれぞれ配置される。本発明の典型的な一実施形態によれば、固定部材３０は案内部材４０に取外し可能に接続される。別の一実施形態によれば、光ファイバコネクタ２０は、圧入で案内部材４０に接続する。
【００３９】
本発明に係る取付組立体を典型的な実施形態に関して上述した。次に、上述の取付組立体を併用して光ファイバの接合方法を説明する。具体的には、図３ないし図７に示されるように、光ファイバの接合方法は、少なくとも以下を具備する。
（１）固定部材３０を用意すると共に、固定部材３０内に光ファイバケーブル１０を固定する工程、
（２）案内部材４０を用意すると共に、光ファイバコネクタ２０と内部に光ファイバケーブル１０が固定された固定部材３０とを案内部材４０の両端にそれぞれ接続する工程、
（３）案内部材４０に沿って固定部材３０を押圧すると共に、光ファイバケーブル１０の裸ファイバ１０ａが光ファイバコネクタ２０の直列光ファイバ２１と有効接触するように光ファイバケーブル１０が若干曲がるまで光ファイバケーブル１０の裸ファイバ１０ａを光ファイバコネクタ２０内に載置する工程、及び
（４）光ファイバコネクタ２０内で光ファイバ固定デバイス２２を押圧し、光ファイバケーブル１０の裸ファイバ１０ａ及び光ファイバコネクタ２０内の直列光ファイバ２１が有効に接合するように、光ファイバコネクタ２０内に裸ファイバ１０ａを固定するよう接合部材６０を用意する工程。
【００４０】
具体的には、本発明の典型的な実施形態によれば、上述の光ファイバの接合方法において、最初に図４及び図５に示されるように、接続される例えば８形状光ファイバである光ファイバケーブルは、固定部材３０の受容室３１に載置され、受容室３１に形成された固定歯３２により固定され、次に、保護カバーで受容室３１が覆われる。このように固定された被接続光ファイバケーブルは、固定後、軸方向に沿った少なくとも30Ｎの力を受けることができるので、固定部材３０からの光ファイバケーブル１０の意図しない引っ張りが効果的に回避される。また、図３に示されるように、光ファイバコネクタ２０は、接続対象物として機能する案内部材４０に圧入で接続される。
【００４１】
次に、固定部材３０は案内部材４０内に載置され、光ファイバケーブル１０の裸ファイバ１０ａは光ファイバコネクタ２０の入口へ挿入され、次に、固定部材３０は、光ファイバケーブル１０が外部に露出し光ファイバコネクタ２０が若干曲がるまで光ファイバコネクタ２０内へ光ファイバケーブル１０の裸ファイバ１０ａを挿入するように案内部材４０に沿って押圧され、この時点で、光ファイバケーブル１０の裸ファイバ１０ａは、光ファイバコネクタ２０の直列光ファイバ２１に予備接触状態にある。上述の操作の間、裸ファイバ１０ａは直列光ファイバ２１と整列状態にある。
【００４２】
本発明の典型的な実施形態によれば、接合方法の工程（３）において、光ファイバコネクタ２０内での光ファイバケーブル１０の裸ファイバ１０ａの変位は、固定部材３０及び案内部材４０間に設けられる微調整構造５０を用いて、案内部材４０に対する固定部材３０の変位を調整することにより調整される。具体的には、案内部材４０内での固定部材３０の移動及び配置は、固定部材３０の第１案内歯５１及び案内部材４０の第２案内歯５２間の食い込み係合により達成される。
【００４３】
典型的な実施形態によれば、接合方法の工程（３）における光ファイバ固定デバイスは、好適には固形接着剤である。さらに、本発明の典型的な実施形態によれば、接合方法の工程（３）において、接合部材６０は、ねじ回すことで操作される。具体的には、図１及び図２に示されるように、ハンドル６２の前端、すなわち円形壁６５の前端は、光ファイバコネクタ２０の圧力伝達部２４と接触状態にある。次に、接合部材６０のハンドル６２は、ねじ回すことでハウジング６１に対して回転する。このため、ハンドル６２の前端は圧力伝達部２４に圧力を加える。次に、この圧力は、圧力伝達部２４から固形接着剤２２に伝達される。このようにして、ハンドル６２の前端が光ファイバコネクタ２０内の固形接着剤２２を押圧する。この結果、光ファイバケーブル１０の裸ファイバ１０ａと光ファイバコネクタ２０に受容された直列光ファイバ２１が、光ファイバコネクタ２０内で接合する。
【００４４】
本発明の典型的な実施形態によれば、光ファイバの接合工程において接合部材６０が固形接着剤２２を押圧した後、接合部材６０は、別に使用するために、光ファイバコネクタ２０から取り外されてもよい。すなわち、接合部材６０は、光ファイバケーブル１０及び光ファイバコネクタ２０の１回以上の接合の後に廃棄することができる使い捨て型光ファイバ接合工具である。
【００４５】
本発明の典型的な実施形態によれば、図６及び図７に示されるように、上述した光ファイバの接合方法は、以下の工程をさらに具備する。すなわち、裸ファイバ及び直列光ファイバの接合後にカバー４５を用意する。このカバー４５は、外部から案内部材４０を覆い、案内部材４０内での固定部材３０の配置を強化する。カバー４５は、固定部材３０と、内部に固定された光ファイバケーブル１０を有する案内部材４０とを接続し、コネクタ全体を形成する。
【００４６】
上述したことに関し、本発明は、現場での容易で簡単な作業で光ファイバを接合することができる簡単な取付組立体を提供する。さらに、この取付組立体は、様々なタイプの光ファイバに適用することができる。対応して、本発明はまた、光ファイバの接合方法を提供する。
【００４７】
複数の典型的な実施形態を図示し説明したが、これらの実施形態には、本発明の原理及び真髄を逸脱することなく、様々な変形、変更が可能であり、本発明の範囲は、特許請求の範囲及びその等価物で定まることが当業者には理解されよう。
【符号の説明】
【００４８】
１０    光ファイバケーブル
１０ａ    裸ファイバ
２０    光ファイバコネクタ
２２      光ファイバ固定デバイス
３０    固定部材
３１      受容室
３２      固定歯
４０    案内部材
４５    カバー
５０    微調整構造
５１      第１案内歯
５２      第２案内歯
６０    接合部材
６１      ハウジング
６２      ハンドル
【図１】
2012525602.tif 000003
【図２】
2012525602.tif 000004
【図３】
2012525602.tif 000005
【図４】
2012525602.tif 000006
【図５】
2012525602.tif 000007
【図６】
2012525602.tif 000008
【図７】
2012525602.tif 000009
【国際調査報告】
2012525602.tif 000010
2012525602.tif 000011